(57)【要約】【課題】カップホルダーの構成部品である容器保持部材をコンソールトレイに着脱可能に構成し、取り外した容器保持部材の保管部位を新たに設ける必要のない車両用カップホルダー構造を提供する。【解決手段】コンソールトレイの収納部２５に容器保持部材４９を着脱可能に設け、容器保持部材４９を、容器を保持する容器保持状態と格納状態とで保持位置を変えるようにした車両用カップホルダー構造である。前記容器保持部材４９に係合部を設け、コンソールトレイの後側トレイ５に前記係合部に係合可能な容器保持用被係合部と格納用被係合部を設け、前記係合部は、弾性を有する長尺状の板状部材からなる複数の片持ち梁部を互いに直交配置させて構成されている。【選択図】図７
2010132081.tif 000002
【特許請求の範囲】
【請求項１】
コンソールトレイの収納部に容器保持部材を着脱可能に設け、容器保持部材を、容器を保持する容器保持状態と格納状態とで保持位置を変えるようにした車両用カップホルダー構造であって、
前記容器保持部材およびコンソールトレイのうちの一方側に係合部を設け、他方側に前記係合部に係合可能な容器保持用被係合部と格納用被係合部を設け、
前記係合部は、弾性を有する長尺状の板状部材からなる複数の片持ち梁部を互いに交差する向きに配設して構成され、この片持ち梁部が、容器保持用被係合部または格納用被係合部に押圧されて係合され、
前記容器保持部材を使用するときには、前記複数の片持ち梁部の一方の長手方向に沿って容器保持部材をコンソールトレイの収納部にスライドさせて前記係合部を容器保持用被係合部に係合させることにより、容器保持部材をコンソールトレイの収納部における容器保持状態の位置に保持し、
前記容器保持部材を格納するときには、前記複数の片持ち梁部の他方の長手方向に沿って容器保持部材をコンソールトレイの収納部にスライドさせて前記係合部を格納用被係合部に係合させることにより、容器保持部材をコンソールトレイの収納部における格納状態の位置に保持するように構成したことを特徴とする車両用カップホルダー構造。
【請求項２】
前記容器保持部材およびコンソールトレイの収納部の一方側に係合凸部を設け、他方側に前記係合凸部に係合可能な係合凹部を設け、前記容器保持部材をコンソールトレイの収納部に保持させる際に、前記係合凸部を係合凹部に係合させてそれぞれの位置決めを行うようにしたことを特徴とする請求項１に記載の車両用カップホルダー構造。
【発明の詳細な説明】
【技術分野】
【０００１】
本発明は、車両用カップホルダー構造に関する。
【背景技術】
【０００２】
従来から、コンソールトレイに形成された凹部をカップホルダーとして用いる構造が知られている（例えば、特許文献１参照）。
【０００３】
この特許文献１に記載されたカップホルダーは、コンソールトレイの後端部の上面に凹部を形成すると共に、該凹部の内面に缶押えを取り付けて凹部の内部空間を２分割し、径が大きい缶と小さい缶とを同時に収納可能に保持している。
【特許文献１】特開平１０−２０３２２５号公報（図３）
【発明の開示】
【発明が解決しようとする課題】
【０００４】
しかしながら、前記従来の車両用カップホルダー構造では、缶押えを取り外した場合に、その缶押えを保管する場所がないという問題がある。また、コンソールトレイに、缶押えの保管のみを行う保管部位を新たに形成するとコストアップの要因となる。
【０００５】
そこで、本発明は、カップホルダーの構成部品である容器保持部材を簡単な構造でコンソールトレイに着脱可能に構成し、取り外した容器保持部材の保管部位を新たに設ける必要のない車両用カップホルダー構造を提供するものである。
【課題を解決するための手段】
【０００６】
本発明に係る車両用カップホルダー構造は、コンソールトレイの収納部と、該収納部に着脱可能に設けた容器保持部材とを備え、該容器保持部材を、容器を保持する容器保持状態と格納状態とで保持位置を変えるようにした車両用カップホルダー構造であって、前記容器保持部材およびコンソールトレイのうちの一方側に係合部を設け、他方側に前記係合部に係合可能な容器保持用被係合部と格納用被係合部を設け、前記係合部は、弾性を有する長尺状の板状部材からなる複数の片持ち梁部を互いに交差する向きに配設して構成され、この片持ち梁部が、容器保持用被係合部または格納用被係合部に押圧されて係合されたことを特徴とする。
【発明の効果】
【０００７】
本発明に係る車両用カップホルダー構造によれば、前記係合部が弾性を有する長尺状の板状部材からなる複数の片持ち梁部を互いに交差する向きに配設して構成され、前記容器保持部材およびコンソールトレイのうちの一方側に係合部を設け、他方側に前記係合部に係合可能な容器保持用被係合部と格納用被係合部を設けている。
【０００８】
従って、簡単な構造で、容器を保持する容器保持状態を構成することができ、また、容器保持部材を使用しないときは、収納部に格納させることができる。また、前記係合部は、弾性を有する長尺状の板状部材からなる複数の片持ち梁部を互いに交差する向きに配設して構成されているため、前記容器保持部材を使用するときには、前記複数の片持ち梁部の一方の長手方向に沿って容器保持部材をコンソールトレイの収納部にスライドさせ、前記容器保持部材を格納するときには、前記複数の片持ち梁部の他方の長手方向に沿って容器保持部材をコンソールトレイの収納部にスライドさせれば良い。
【発明を実施するための最良の形態】
【０００９】
以下、本発明の実施形態を図面と共に詳述する。
【００１０】
図１は本発明の実施形態によるコンソールトレイを示す斜視図、および、図２は図１の後側トレイを示す斜視図である。
【００１１】
このコンソールトレイ１は、車両前方側に配設された前側トレイ３と、該前側トレイ３の車両後方に配置された後側トレイ５と、から構成されている。また、コンソールトレイ１は、車室内の前部に配設されたインストルメントパネル７を構成するセンタークラスター９に一体に接続されている。
【００１２】
具体的には、前記センタークラスター９の室内側（車両後方側）の側面には、引き出し式の灰皿１１が配設され、該灰皿１１の下部には収納扉１３が開閉可能に配設されており、センタークラスター９の下端部に前側トレイ３が一体形成されている。
【００１３】
この前側トレイ３は下方に凹む凹部によって構成され、該凹部は、平坦な底面１５と、該底面１５の周縁部から上方に延設される縦壁面１７とから構成される。
【００１４】
後側トレイ５は前側トレイ３の後端部に接続されている。後側トレイ５においては、図２にも示すように、平面視略矩形状に形成された平坦な底面１９と、該底面１９の左右両端から上方に延びる側壁面２１と、車両後方側の端部から上方に延びる後壁面２３とから収納部２５が構成されている。さらに、収納部２５は、車両前方側に配置された前部２７と車両後方側に配置された後部２９とからなり、前部２７の底面１９には、前後に所定間隔をおいて配置された一対の突出部３１，３１が車幅方向に延びて形成されている。また、前部２７の側壁面２１は、後部２９の側壁面２１の高さよりも低く設定してあり、後壁面２３の高さは、前部２７の側壁面２１と後部２９の側壁面２１の間の高さに設定している。
【００１５】
また、後部２９の側壁面２１の内面には、前端と後端に、上下方向に延びる格納用溝部３３，３５が形成されている。それぞれの格納用溝部３３，３５には、上端に格納用被係合部である支持穴３７が形成され、下端に、容器保持部材を格納する際に位置決めを行う格納用係合凸部３９，４１が形成されている。
【００１６】
そして、前後の格納用溝部３３，３５の間には、内方に突出する突出壁４３が設けられ、該突出壁４３の上面に別の係合凸部４５が形成されており、この係合凸部４５は、容器保持部材を使用する際に位置決めを行う容器保持用係合凸部４５である。また、容器保持用係合凸部４５と後側の格納用溝部３５との間には、容器保持用被係合部である係止穴４７が形成されている。
【００１７】
図３は本発明の実施形態による容器保持部材を示す斜視図、図４は図３の係合部を拡大した正面図、図５は図４のＡ−Ａ線による断面図、および、図６は図４のＢ−Ｂ線による断面図である。
【００１８】
図３に示すように、この容器保持部材４９は、平面視略矩形の環状に形成されており、内周面に、収納孔７７を左右に分けて保持する分離突起５１が平面視略三角状に形成されている。また、容器保持部材４９を構成する本体部５３の左右両側に配置された側面には、弾性を有する板状部材５５が配置されており、該板状部材５５の下端は切欠きが形成されて該切欠きによって容器保持用係合凹部５９が構成されている。この容器保持用係合凹部５９は、図２に示す容器保持用係合凸部４５に係合可能に構成されている。
【００１９】
また、図３，４に示すように、係合部１０１を容器保持部材４９に設けると共に、この係合部１０１を互いに直交する向きに延在する２つの片持ち梁部１６１，１６３から構成している。
【００２０】
具体的には、図４に示すように容器保持部材４９を側方から見た場合に、本実施形態による係合部１０１は、容器保持部材４９の側面の長手方向に沿って延びる第１片持ち梁部１６１と、該第１片持ち梁部１６１の長手方向中央部から下方に延びる第２片持ち梁部１６３とで一体に形成されている。これらの第１片持ち梁部１６１と第２片持ち梁部１６３とは、正面視略矩形状の板状部材５５の中央部を切り欠いて形成されている。前記第１片持ち梁部１６１においては、図４における右端部が基部１６１ａとなって左端部１６１ｂが揺動可能に構成されている。第２片持ち梁部１６３においては、図４における下端部が基部１６３ａとなって上端部１６３ｂが揺動可能に構成されている。また、ロック用突起６３は、第１片持ち梁部１６１の長手方向中央部に突設されている。
【００２１】
図５に示すように、板状部材５５の背面側には、本体部５３に形成された凹部６５が配置されており、該凹部６５の底面６７に板ばね６９が設けられている。この板ばね６９は、側面視略半円状に形成されており、図５の左端部に形成されたフランジ７９がボルト７１によって凹部６５の底面６７に固定され、右端部のフランジ８１が凹部６５の底面６７にスライド可能に当接している。また、図５，６に示すように、板ばね６９の頂部７３は第１片持ち梁部１６１と第２片持ち梁部１６３との交差部分の裏面に当接しているため、第１片持ち梁部１６１は板ばね６９によって外方に向けて付勢されている。即ち、第１片持ち梁部１６１に内方（図５の下方向）に向けて荷重が加わると、板ばね６９が撓むために反力が作用し、第１片持ち梁部１６１を外方（図５の上方向）に押圧する。なお、ロック用突起６３は、図２に示す支持穴３７，３８および係止穴４７に嵌合可能に構成されており、格納用係合凹部７５は、図２に示す格納用係合凸部３９，４１に係合可能に構成されている。
【００２２】
次いで、本実施形態による容器保持部材４９の保持形態について説明する。
【００２３】
図７は容器保持部材をコンソールトレイの収納部における容器保持状態の位置に保持した状態を示す斜視図、図８は容器保持部材をコンソールトレイの収納部における格納状態の位置に保持した状態を示す斜視図、および、図９は容器保持部材をコンソールトレイの収納部における格納状態の別の位置に保持した状態を示す斜視図である。
【００２４】
まず、容器保持部材４９を使用する際には、図２，３に示す容器保持部材４９の容器保持用係合凹部５９をコンソールトレイ１の容器保持用係合凸部４５に係合させると共に、容器保持部材４９のロック用突起６３をコンソールトレイ１の係止穴４７に係合させる。これによって、図７に示す容器保持部材４９の使用状態となり、容器保持部材４９に設けられた収納孔７７に図外の容器を挿入して保持することができる。
【００２５】
この場合は、図３，４に示す第２片持ち梁部１６３の長手方向に沿ってスライド移動して板ばね６９の反力によってロック用突起６３が外方に押圧され、該ロック用突起６３が係止穴４７に係合される。
【００２６】
次に、容器保持部材４９をコンソールトレイ１に格納する場合は、図８，９に示す保持状態とする。図８の場合は、後側トレイ５の後部の前端に容器保持部材４９を縦方向に保持する形態であり、図９の場合は、後側トレイ５の後部の後端に容器保持部材４９を縦方向に保持する形態である。
【００２７】
即ち、図８の場合は、図２，３に示すように容器保持部材４９を縦方向に配置し、そのままの状態で図２の前側の格納用溝部３３に嵌合した下方にスライド移動させることによって、格納用係合凹部７５をコンソールトレイ１の格納用係合凸部３９に係合させると共に、容器保持部材４９のロック用突起６３をコンソールトレイ１の支持穴３７に係合させる。これによって、図８に示す容器保持部材４９の格納状態となる。これは、容器保持部材４９を後側トレイ５を前後に仕切る仕切板として機能させることができる。なお、この場合は、図３，４に示す第１片持ち梁部１６１の長手方向に沿ってスライド移動して板ばね６９の反力によってロック用突起６３が外方に押圧され、該ロック用突起６３が支持穴３７に係合される。
【００２８】
また、図９の場合は、図２，３に示すように容器保持部材４９を縦方向に配置し、そのままの状態で図２の後側の格納用溝部３５に嵌合して下方にスライド移動させることによって、格納用係合凹部７５をコンソールトレイ１の格納用係合凸部４１に係合させると共に、容器保持部材４９のロック用突起６３をコンソールトレイ１の支持穴３８に係合させる。これによって、図９に示す容器保持部材４９の格納状態となる。この場合は、容器保持部材４９をコンソールトレイ１の後端部に配置することによって、トレイの収納容量を拡大することができる。ここでも、図３，４に示す第１片持ち梁部１６１の長手方向に沿ってスライド移動して板ばね６９の反力によってロック用突起６３が外方に押圧され、該ロック用突起６３が支持穴３８に係合される。
【００２９】
以下に、本発明の実施形態による作用効果を説明する。
【００３０】
（１）容器保持部材４９に設けられた係合部１０１は、弾性を有する長尺状の板状部材からなる第１片持ち梁部１６１と該第１片持ち梁部１６１に直交する第２片持ち梁部１６３とから構成されている。従って、前記容器保持部材４９の使用時には、前記第２片持ち梁部１６３の長手方向に沿って容器保持部材４９をコンソールトレイ１の収納部２５にスライドさせて保持し（図７参照）、前記容器保持部材４９の格納時には、前記第１片持ち梁部１６１の長手方向に沿って容器保持部材４９をコンソールトレイ１の収納部２５にスライドさせて保持すれば良いため（図８，９参照）、使い勝手が非常に良好となる。
【００３１】
特に本実施形態では、係合部１０１を、互いに直交する第１片持ち梁部１６１と第２片持ち梁部１６３とから構成したため、容器保持部材１４９の厚さ方向と該厚さ方向に直交する方向とのいずれにもスライドさせることによって、容器保持部材４９をコンソールトレイ１に保持することができる。このように、容器保持部材４９を、その使用状態と格納状態とに適宜使い分けることができ、また、係合部として長尺状の第１片持ち梁部１６１および第２片持ち梁部１６３を使用するため、簡素な構造となって部品点数の削減および製造工数の低減を図ることができる。なお、図８に示す格納状態では、容器保持部材４９を、後側トレイ５内の収納部２５を前後に２分割する仕切板として活用できる。また、図９に示す格納状態では、容器保持部材４９を後側トレイ５内の収納部２５の後端部に配置することにより、収納部の容積を最大限に拡大することができる。
【００３２】
（２）コンソールトレイ１の収納部２５に容器保持用係合凸部４５を設け、容器保持部材４９に前記容器保持用係合凸部４５に係合可能な容器保持用係合凹部５９を設け、前記容器保持部材４９をコンソールトレイ１の収納部２５に保持させる際に、前記容器保持用係合凸部４５を容器保持用係合凹部５９に係合させるようにしている。
【００３３】
このため、容器保持部材４９をコンソールトレイ１の収納部２５に保持する際に、位置決めを簡単でかつ確実に行うことができる。
【図面の簡単な説明】
【００３４】
【図１】本発明の実施形態によるコンソールトレイを示す斜視図である。
【図２】図１の後側トレイを示す斜視図である。
【図３】本発明の実施形態による容器保持部材を示す斜視図である。
【図４】図３の係合部を拡大した正面図である。
【図５】図４のＡ−Ａ線による断面図である。
【図６】図４のＢ−Ｂ線による断面図である。
【図７】容器保持部材をコンソールトレイの収納部における容器保持状態の位置に保持した状態を示す斜視図である。
【図８】容器保持部材をコンソールトレイの収納部における格納状態の位置に保持した状態を示す斜視図である。
【図９】容器保持部材をコンソールトレイの収納部における格納状態の別の位置に保持した状態を示す斜視図である。
【符号の説明】
【００３５】
１…コンソールトレイ
２５…収納部
３７，３８…支持穴（格納用被係合部）
３９，４１…格納用係合凸部（係合凸部）
４５…容器保持用係合凸部（係合凸部）
４７…係止穴  （容器保持用被係合部）
４９…容器保持部材
５９…容器保持用係合凹部（係合凹部）
７５…格納用係合凹部（係合凹部）
１６１…第１片持ち梁部（係合部）
１６３…第２片持ち梁部（係合部）
【図１】
2010132081.tif 000003
【図２】
2010132081.tif 000004
【図３】
2010132081.tif 000005
【図４】
2010132081.tif 000006
【図５】
2010132081.tif 000007
【図６】
2010132081.tif 000008
【図７】
2010132081.tif 000009
【図８】
2010132081.tif 000010
【図９】
2010132081.tif 000011